(57)【特許請求の範囲】
【請求項１】
木材鋼材複合柱（１）及び角形木梁（２）、前記木材鋼材複合柱（１）及び前記角形木梁（２）を接合するための接合コンポーネント（４）、並びに前記木材鋼材複合柱（１）、前記角形木梁（２）及び前記接合コンポーネント（４）が共に接合され且つ支持する木製スラブ（３）を含み、
前記木材鋼材複合柱（１）は中空の外側角形木柱（５）を備え、前記外側角形木柱（５）の垂直方向の外側面上には一体成型された角形ブロックが設けられており、前記外側角形木柱（５）は十字形の横方向断面構造を備えており、前記外側角形木柱（５）には鋼スリーブ（７）が嵌め込まれており、前記鋼スリーブ（７）には内木柱（８）が嵌め込まれており、前記内木柱（８）内には柱縦方向鉄筋（６）が貫設されており、横方向鉄筋（１２３）の内側端は前記角形ブロックを貫通して前記鋼スリーブ（７）に固設され、前記横方向鉄筋（１２３）の外側端にはねじ山が設けられており、
前記角形木梁（２）は、その内部に貫入された長手方向突出鉄筋（４５６）を備え、前記長手方向突出鉄筋（４５６）の外側端にはねじ山が設けられており、前記角形木梁（２）の頂部には前記木製スラブ（３）を接合するための複数の第５ボルト孔（１５）が設けられており、
前記木製スラブ（３）は、側部に隣と差し込み接ぎするためのＳ形差込頭部（２０）が設けられており、繋ぎ合わせ部には前記角形木梁（２）を接合するための第５ボルト孔（１５）、隣接する前記木製スラブ（３）を接合するためのスラブねじ孔（２３）が設けられており、
前記接合コンポーネント（４）は、両端がそれぞれ前記横方向鉄筋（１２３）及び前記長手方向突出鉄筋（４５６）に接合されるねじ山スリーブ（９）を含むことを特徴とする、組立スラブ式木材鋼材複合節点。
【請求項２】
前記木製スラブ（３）はＬ形スラブ（２１）及び角形スラブ（２２）を含み、前記Ｌ形スラブ（２１）は前記角形ブロックの頂部に置かれ、前記木材鋼材複合柱（１）の外側を取り囲み且つ互いに差し込み接ぎされ、前記角形スラブ（２２）は前記Ｌ形スラブ（２１）を取り囲んで外側に差し込み接ぎされることを特徴とする、請求項１に記載の組立スラブ式木材鋼材複合節点。
【請求項３】
前記接合コンポーネント（４）は接合部（１０）をさらに含み、前記接合部（１０）はＣ形の左側有孔カバープレート（１８）及び右側有孔カバープレート（１９）を含み、
前記左側有孔カバープレート（１８）と前記右側有孔カバープレート（１９）の底部水平連結部は、ボルトプレート（１７）及び底部ボルトにより繋ぎ合わせ固定され、
前記外側角形木柱（５）の前記角形ブロックと前記接合部（１０）との互いの重ね接合部の水平面と垂直方向面には、固設するための第２ボルト孔（１２）、第４ボルト孔（１４）がそれぞれ対応して設けられており、
前記角形木梁（２）と前記接合部（１０）との互いの重ね接合部の水平面と垂直方向面には、固設するための第１ボルト孔（１１）、第３ボルト孔（１３）がそれぞれ対応して設けられており、
前記木製スラブ（３）の差込頭部（２０）と前記接合部（１０）との互いの重ね接合部には、固設するための第６ボルト孔（１６）がそれぞれ対応して設けられていることを特徴とする、請求項２に記載の組立スラブ式木材鋼材複合節点。
【請求項４】
外側角形木柱（５）中に鋼スリーブ（７）を入れ、前記鋼スリーブ（７）に横方向鉄筋（１２３）の内側端を固設し、内木柱（８）を埋め入れ且つその中に縦方向鉄筋（６）を挿入する第１工程と、
角形木梁（２）中に長手方向突出鉄筋（４５６）を挿入し且つ鉄筋を突出させる第２工程と、
組立てられた木材鋼材複合柱（１）及び前記角形木梁（２）の鉄筋突出部分をねじ山スリーブ（９）で連結する第３工程と、
ボルトプレート（１７）により左側有孔カバープレート（１８）、右側有孔カバープレート（１９）を組み立てて接合部（１０）とし、両側端のボルト孔とボルトにより前記接合部（１０）と前記木材鋼材複合柱（１）、前記角形木梁（２）の水平接合固定を実現する第４工程と、
Ｌ形スラブ（２１）を角形ブロック及び前記接合部（１０）の頂部に置き、且つ前記木材鋼材複合柱の外側を取り囲むように連結し、ボルトにより前記Ｌ形スラブ（２１）と前記角形木梁（２）、前記接合部（１０）の間の水平固定接合を行う第５工程と、
角形スラブ（２２）で前記Ｌ形スラブ（２１）を取り囲むように外側に差し込み接ぎし、ボルトにより前記角形スラブ（２２）と前記Ｌ形スラブ（２１）、前記角形木梁（２）の間の水平固定接合を行う第６工程と、を工程に含むことを特徴とする、請求項１〜請求項３のいずれか１項に記載の組立スラブ式木材鋼材複合節点の組立方法。
【発明の詳細な説明】
【技術分野】
【０００１】
本発明は、新規の組立スラブ式木材鋼材複合節点に関するものであり、建築施工分野に属する。
【背景技術】
【０００２】
建築業界の発展方式が徐々に変化するにつれて、建築業界の生産における質や効率の向上、省エネ・排出削減の実現は必然的な施工要求となった。組立式建築は、従来建築と比べて、工程品質によって生じる工程問題を最大限減らすことが可能であり、工程品質及び施工の安全性を効果的に保証することができる。
【０００３】
先行特許出願における組み立て式新型コンクリート柱、梁構造及び組立接合方法という名称の特許文献１を比較すると、それにはプレキャストコンクリート側柱、プレキャストコンクリート中柱及びプレキャストコンクリート梁構造が含まれており、以下ではプレキャストコンクリート側柱、プレキャストコンクリート中柱及びプレキャストコンクリート梁をそれぞれプレキャスト側柱、プレキャスト中柱及びプレキャスト梁と略称する。そのうち、プレキャスト側柱の柱頂部には柱頂グラウト溝が設けられており、内部には柱縦方向鉄筋が配置されており、柱縦方向鉄筋の下端は柱スリーブに延び入っている。底部には柱底グラウト溝が設けられており、底部の外側には側柱鉄筋通し溝が設けられており、側柱鉄筋通し溝の上部には柱を貫通する梁鉄筋貫通孔が設けられており、頂部には底部梁鉄筋連結用側柱予備鉄筋が設けられている。プレキャスト中柱の頂部には柱頂グラウト溝が設けられており、底部には柱底グラウト溝及び梁鉄筋貫通孔が設けられており、頂部には底部梁鉄筋連結用中柱予備鉄筋が設けられている。プレキャスト側柱及びプレキャスト中柱内は、側柱の高さ方向に沿って柱外側せん断補強筋及び柱内側せん断補強筋が設けられている。またプレキャスト梁の長さ方向に沿って、先端が予め埋め込まれたねじ山付鋼棒及び梁せん断補強筋が均一に設けられており、プレキャスト梁の底部には底部梁鉄筋が設けられている。
【０００４】
上述の案では、主にプレキャストコンクリート構造と鉄筋接合構造が採用されており、従来においてよく見られる組立式スラブ設計技術と比較した場合、材料が調達しにくく、モジュール化による重ね接合施工を行うことができず、施工速度が遅いうえに、より重要な点として、鋼接合節点の強度を向上させるために溶接施工を行わなければならず、施工品質の保証が難しくなる。さらに、節点全体の重量が大きく、耐荷力は相対的に小さい。
【０００５】
要約すると、従来技術における建築物の節点技術は、業界内での広範な普及・標準化度が低い。本特許出願はこれに鑑みて提出されたものである。
【先行技術文献】
【特許文献】
【０００６】
【特許文献１】中国特許出願公開第２０１５１０１０６３６８.０明細書
【発明の概要】
【発明が解決しようとする課題】
【０００７】
本発明の組立スラブ式木材鋼材複合節点及びその組立方法は、上述の従来技術に存在する問題を解決すべく、木材鋼材構造を併用した、繋ぎ合わせ式複合節点を採用し、新規の組立式スラブ構造を実現することによって、機械式鋼材接合方式による節点強度の向上、溶接の施工品質問題の低減、全体の耐荷力の向上、節点の破壊確率の低減を達成することを設計の目的としている。
【課題を解決するための手段】
【０００８】
上記の設計目的を実現するために、上述の組立スラブ式木材鋼材複合節点は、木材鋼材複合柱及び角形木梁、木材鋼材複合柱及び角形木梁を接合するための接合コンポーネント、並びに木材鋼材複合柱、角形木梁及び接合コンポーネントが共に接合され且つ支持する木製スラブを含む。
【０００９】
上述の木材鋼材複合柱は中空の外側角形木柱を備え、外側角形木柱の垂直方向の外側面上には一体成型された角形ブロックが設けられており、外側角形木柱は十字形の横方向断面構造を備えている。外側角形木柱には鋼スリーブが嵌め込まれており、鋼スリーブには内木柱が嵌め込まれており、内木柱内には柱縦方向鉄筋が貫設されており、横方向鉄筋の内側端は角形ブロックを貫通して鋼スリーブに固設され、横方向鉄筋の外側端にはねじ山が設けられている。
【００１０】
上述の角形木梁は、その内部に貫入された長手方向突出鉄筋を備え、長手方向突出鉄筋の外側端にはねじ山が設けられている。角形木梁の頂部には、木製スラブを接合するための複数の第５ボルト孔が設けられている。
【００１１】
上述の木製スラブは、側部に隣と差し込み接ぎするためのＳ形差込頭部が設けられており、繋ぎ合わせ部には角形木梁を接合するための第５ボルト孔、隣接する木製スラブを接合するためのスラブねじ孔が設けられている。
【００１２】
上述の接合コンポーネントは、両端がそれぞれ横方向鉄筋及び長手方向突出鉄筋に接合されるねじ山スリーブを含む。
【００１３】
上記の基本的な設計構想の通り、木材鋼材構造が併用された繋ぎ合わせ式複合節点は、２種類の材料により結合され、材料同士の相互補完を実現しており、木構造の強度が顕著に向上し、鋼構造中に木構造を加えることで構造の自重を軽くすることができ、単位質量構造の強度を向上させるのに有利であると同時に、極めて高い耐久性を具備する。モジュール化構造は、材料を調達しやすく、施工速度も速い。梁、柱の接合部に機械式鋼材接合を採用することで、節点強度が向上するだけでなく、溶接施工がもたらす品質問題を低減することもでき、木製柱の構造中に鋼構造を加えることで、木構造全体の耐荷力が顕著に向上し、複合節点全体が高強度を具備し、節点の破壊確率を一定程度低減し、節点に回復性を備えさせることができる。
【００１４】
上述の木材鋼材複合柱は、中実木柱と比べて鋼スリーブの強度が大きく改善され、且つ外側角形木柱中に設置された横方向鉄筋が応力性能及び耐震性能を大幅に向上させることができるため、純粋な木構造と比べて、単位質量における耐荷力がより高い。十字形の木材鋼材複合柱は、その角形ブロックが梁、柱を接合する作業面を提供する。内木柱中の柱縦方向鉄筋は、木製梁の耐圧及び引張強度を増強し、単位質量における耐震性能を比較的優れたものにしている。
【００１５】
上述の木製スラブにはＳ形繋ぎ合わせ式差込頭部が設けられており、組立性が良く、且つ木製スラブを採用することで建築物内部の吸音防音効果が向上する。繋ぎ合わせ式接合構造は、施工全体の効率を高め、建築施工における標準化、製品化レベルを実現するうえで役立つ。
【００１６】
上述の接合コンポーネントは、ねじ山式鉄筋スリーブ構造を採用して十字形木材鋼材複合柱と角形木梁の機械的接合を行うものであり、接合方式が簡便で行いやすく、溶接加工を必要としないため、施工品質や施工効率が大きく改善される。
【００１７】
スラブ繋ぎ合わせ構造の耐荷力及び木材の利用率をより高めるために、以下の好適な案及び改良案を採用することができる。木製スラブはＬ形スラブ及び角形スラブを含み、Ｌ形スラブは角形ブロック、接合部の頂部に置かれ、木材鋼材複合柱の外側を取り囲み且つ互いに差し込み接ぎされ、角形スラブはＬ形スラブを取り囲んで外側に差し込み接ぎされる。
【００１８】
上述の繋ぎ合わせ式スラブ固定方式は、スラブの施工効率を効果的に高めると同時に、スラブと梁・柱相互の固定接合をより改善し、循環型建築を実現することができる。
【００１９】
より好適には、接合コンポーネントは接合部をさらに含み、接合部はＣ形の左側有孔カバープレート及び右側有孔カバープレートを含む。左側有孔カバープレートと右側有孔カバープレートの底部水平連結部は、ボルトプレート及び底部ボルトにより繋ぎ合わせ固定する。外側角形木柱の角形ブロックと接合部との互いの重ね接合部の水平面と垂直方向面には、固設するための第２ボルト孔、第４ボルト孔がそれぞれ対応して設けられている。角形木梁と接合部との互いの重ね接合部の水平面と垂直方向面には、固設するための第１ボルト孔、第３ボルト孔がそれぞれ対応して設けられている。木製スラブの差込頭部と接合部との互いの重ね接合部には、固設するための第６ボルト孔がそれぞれ対応して設けられている。
【００２０】
上述の接合コンポーネントの接合部を構成することで、梁、柱を二次固定して接合する作用が構成され、Ｃ形の両側の有孔カバープレートと角形木梁、木材鋼材複合柱の角形ブロックの水平及び垂直方向の重ね接合部とは、対応し合うボルト孔を通じて固定接合することができ、これにより、スラブと梁・柱の間における中間接合を確実に実現することができる。従来の鉄筋溶接工法の代替として、ねじ山スリーブと梁内鉄筋、柱内鉄筋の機械的接合をベースにすることで、溶接施工品質の問題を回避することができる。
【００２１】
組立スラブ式木材鋼材複合節点の構造設計の応用を基に、本出願は同時に以下の対応する組立方法を提出する。
【００２２】
第１工程で、外側角形木柱中に鋼スリーブを入れ、鋼スリーブに横方向鉄筋の内側端を固設し、内木柱を埋め入れ且つその中に縦方向鉄筋を挿入する。
【００２３】
第２工程で、角形木梁中に長手方向突出鉄筋を挿入し且つ鉄筋を突出させる。
【００２４】
第３工程で、組立てられた木材鋼材複合柱及び角形木梁の鉄筋突出部分をねじ山スリーブで連結する。
【００２５】
第４工程で、ボルトプレートにより左側有孔カバープレート、右側有孔カバープレートを組み立てて接合部とし、両側端のボルト孔とボルトにより接合部と木材鋼材複合柱、角形木梁の水平接合固定を実現する。
【００２６】
第５工程で、Ｌ形スラブを角形ブロック及び接合部の頂部に置き、且つ木材鋼材複合柱の外側を取り囲むように連結し、ボルトによりＬ形スラブと角形木梁、接合部の間の水平固定接合を行う。
【００２７】
第６工程で、角形スラブでＬ形スラブを取り囲むように外側に差し込み接ぎし、ボルトにより角形スラブとＬ形スラブ、角形木梁の間の水平固定接合を行う。
【発明の効果】
【００２８】
上述の通り、本出願の組立スラブ式木材鋼材複合節点及びその組立方法は、以下の利点を有する。
【００２９】
１、新規の組立スラブ式木材鋼材複合節点構造を提出し、異なる建築材料の利用率を高め、豊かな現代建築システムが実現される。
【００３０】
２、繋ぎ合わせ式節点の設計により、施工の生産化、施工期間の短縮、溶接などの施工品質によって生じる工程問題の回避、建築費の低減が実現される。
【００３１】
３、組立式梁は予め製造することができ、施工プロセスが簡略化され、施工効率が向上し、建築コストを下げることができる。
【００３２】
４、鋼構造の機械的接合コンポーネントを用いて梁・柱節点を接合することで、鋼構造の溶接により生じる品質問題が効果的に回避され、鋼構造接合コンポーネントの強度の高さによって節点の応力性能が高まる。
【００３３】
５、木材鋼材複合構造の設計により、構造全体の耐荷力、破壊時の回復性が向上し、建築の発展における循環型の要件が実現される。
【図面の簡単な説明】
【００３４】
以下の図を基に本出願についてさらに説明する。
【００３５】
【図１】本出願の組立スラブ式木材鋼材複合節点の構造概略図である。
【図２】木材鋼材複合柱の構造及び組立過程概略図である。
【図３】ねじ山スリーブと横方向鉄筋、長手方向突出鉄筋の構造及び組立過程の概略図である。
【図４】角形木梁の構造概略図である。
【図５】ねじ山スリーブを用いて柱と梁を連結する概略図である。
【図６】接合コンポーネントの接合部構造及び接合概略図である。
【図７】接合部を追加した後の柱・梁の接合概略図である。
【図８】Ｌ形スラブの構造及び繋ぎ合わせ概略図である。
【図９】角形スラブとＬ形スラブの構造及び繋ぎ合わせ概略図である。
【図１０−１】本出願の組立スラブ式木材鋼材複合節点の組立過程の概略図である。
【図１０−２】本出願の組立スラブ式木材鋼材複合節点の組立過程の概略図である。
【図１０−３】本出願の組立スラブ式木材鋼材複合節点の組立過程の概略図である。
【発明を実施するための形態】
【実施例１】
【００３６】
以下、図を基に本出願の実施例について詳細に説明する。
【００３７】
図１〜図１０に示す通り、組立スラブ式木材鋼材複合節点は、主に木材鋼材複合柱１、角形木梁２、木製スラブ３及び接合コンポーネント４を含む。
【００３８】
上述の木材鋼材複合柱１は中空の外側角形木柱５を備え、外側角形木柱５の垂直方向の外側面上には一体成型された角形ブロックが設けられており、外側角形木柱５は十字形の横方向断面構造を備えている。外側角形木柱５には鋼スリーブ７が嵌め込まれており、鋼スリーブ７は直管構造であるのが好ましく、内木柱８が嵌め込まれている。内木柱８は角形木柱であるのが好ましく、内木柱８内には複数の柱縦方向鉄筋６が貫設されており、横方向鉄筋１２３の内側端は角形ブロックを貫通して鋼スリーブ７に固定され、横方向鉄筋１２３の外側端には平行ねじ山が設けられている。接合部１０との互いの重ね接合部、外側角形木柱５の角形ブロックの水平面と垂直方向面には、固設するための第２ボルト孔１２、第４ボルト孔１４がそれぞれ設けられている。
【００３９】
上述の角形木梁２は、その内部に貫入された複数の長手方向突出鉄筋４５６を備え、長手方向突出鉄筋４５６の外側端には平行ねじ山が設けられている。角形木梁２の頂部には木製スラブ３を接合するための複数の第５ボルト孔１５が設けられている。接合部１０との互いの重ね接合部、角形木梁２の水平面と垂直方向面には、固設するための第１ボルト孔１１、第３ボルト孔１３がそれぞれ対応して設けられている。
【００４０】
上述の木製スラブ３については、木製スラブ３はＬ形スラブ２１及び角形スラブ２２を含み、Ｌ形スラブ２１は角形ブロック、接合部１０の頂部に置かれ、木材鋼材複合柱１の外側を取り囲み且つ互いに差し込み接ぎされ、角形スラブ２２はＬ形スラブ２１を取り囲んで外側に差し込み接ぎされる。Ｌ形スラブ２１及び角形スラブ２２の側部にはいずれも隣と差し込み接ぎするためのＳ形差込頭部２０が設けられている。繋ぎ合わせ部には角形木梁２を接合するための第５ボルト孔１５、及び隣接する木製スラブ３を接合するためのスラブねじ孔２３が設けられている。接合部１０との互いの重ね接合部、木製スラブ３の差込頭部２０には、固設するための第６ボルト孔１６が対応して設けられている。
【００４１】
上述の接合コンポーネント４は、両端がそれぞれ横方向鉄筋１２３及び長手方向突出鉄筋４５６に接合されるねじ山スリーブ９並びに接合部１０を含み、ねじ山スリーブ９はストレートスリーブ構造であるのが好ましい。接合部１０は、Ｃ形の左側有孔カバープレート１８及び右側有孔カバープレート１９を含む。左側有孔カバープレート１８と右側有孔カバープレート１９の底部水平連結部は、ボルトプレート１７及び底部ボルトにより繋ぎ合わせ固定する。外側角形木柱５の角形ブロックとの互いの重ね接合部、接合部１０の水平面と垂直方向面には、固設するための第２ボルト孔１２、第４ボルト孔１４がそれぞれ対応して設けられている。角形木梁２との互いの重ね接合部、接合部１０の水平面と垂直方向面には、固設するための第１ボルト孔１１、第３ボルト孔１３がそれぞれ対応して設けられている。木製スラブ３の差込頭部２０との互いの重ね接合部、接合部１０には、固設するための第６ボルト孔１６が対応して設けられている。
【００４２】
上述の組立スラブ式木材鋼材複合節点の構造設計を基に、以下の工程に従って複合節点の組立方法を実施する。
【００４３】
第１工程で、外側角形木柱５中に鋼スリーブ７を入れ、横方向鉄筋１２３をアンカー固定し、内木柱８を埋め入れ且つその中に縦方向鉄筋６を挿入する。
【００４４】
第２工程で、角形木梁２中に長手方向突出鉄筋４５６を挿入し且つ鉄筋を突出させる。
【００４５】
第３工程で、組立てられた木材鋼材複合柱１及び角形木梁２の鉄筋突出部分をねじ山スリーブ９で連結する。
【００４６】
第４工程で、ボルトプレート１７により左側有孔カバープレート１８、右側有孔カバープレート１９を組み立てて接合部１０とし、両側端のボルト孔とボルトにより接合部１０と木材鋼材複合柱１、角形木梁２の水平接合固定を実現する。
【００４７】
第５工程で、Ｌ形スラブ２１を角形ブロック及び接合部１０の頂部に置き、且つ木材鋼材複合柱の外側を取り囲むように連結し、ボルトによりＬ形スラブ２１と角形木梁２、接合部１０の間の水平固定接合を行う。
【００４８】
第６工程で、角形スラブ２２でＬ形スラブ２１を取り囲むように外側に差し込み接ぎし、ボルトにより角形スラブ２２とＬ形スラブ２１、角形木梁２の間の水平固定接合を行う。
【００４９】
本実施例を従来技術における鋼構造と比較すると、鋼材と木材を組み合わせて形成された木材鋼材複合構造は、単位質量における応力性能がより優れており、地震作用下において、木材自体が一定の靭性を有する故に、良好な耐震性能を具備することができる。従来技術における木構造と比較すると、本実施例では木材鋼材構造を採用し、十字形柱内に鋼スリーブ、縦方向鉄筋を入れており、単位質量における構造の応力性能が全体の寿命を向上させている。角形木梁内には鉄筋を設けて木梁の引張性能を高めており、Ｈ形梁よりもせん断耐性に優れる。機械的接合によって全体の組み立てが行われ、地震作用下において、部材の交換がより容易である。部材の事前カスタムメイド、施工現場での組立化施工、鋼構造の部材の溶接がもたらす品質問題の回避、施工期間の短縮、建築費の低減を実現することができる。
【００５０】
上述の通り、図を基に説明を行った形態の内容は、類似の技術形態に派生可能である。但し、本発明の構造を逸脱しない形態の内容は、いずれも本出願における技術形態の特許請求の範囲に属する。
【符号の説明】
【００５１】
１  木材鋼材複合柱
２  角形木梁
３  木製スラブ
４  接合コンポーネント
５  外側角形木柱
６  縦方向鉄筋
７  鋼スリーブ
８  内木柱
９  ねじ山スリーブ
１０  接合部
１１  第１ボルト孔
１２  第２ボルト孔
１３  第３ボルト孔
１４  第４ボルト孔
１５  第５ボルト孔
１６  第６ボルト孔
１７  ボルトプレート
１８  左側有孔カバープレート
１９  右側有孔カバープレート
２０  Ｓ形差込頭部
２１  Ｌ形スラブ
２２  角形スラブ
２３  スラブねじ孔
１２３  横方向鉄筋
４５６  長手方向突出鉄筋
【要約】
【課題】本発明は、組立スラブ式木材鋼材複合節点及びその組立方法を提供することを目的とする。
【解決手段】節点中に木材鋼材を併用した、繋ぎ合わせ式複合構造を採用し、節点の破壊確率を低減し、建築物全体の耐荷力を向上させる。複合節点は、木材鋼材複合柱及び角形木梁、木材鋼材複合柱及び角形木梁を接合するための接合コンポーネント、並びに木材鋼材複合柱、角形木梁及び接合コンポーネントが共に接合され且つ支持する木製スラブを含む。木材鋼材複合柱は中空の十字形外側角形木柱を備え、外側角形木柱には一体成型によって角形ブロックが設けられている。外側角形木柱には鋼スリーブが嵌め込まれており、鋼スリーブには内木柱が嵌め込まれており、内木柱内には柱縦方向鉄筋が貫設されており、横方向鉄筋は角形ブロックを貫通して鋼スリーブに固設され、横方向鉄筋の端部にはねじ山が設けられている。
【選択図】  図１【図１】
0006802594.tif 000002
【図２】
0006802594.tif 000003
【図３】
0006802594.tif 000004
【図４】
0006802594.tif 000005
【図５】
0006802594.tif 000006
【図６】
0006802594.tif 000007
【図７】
0006802594.tif 000008
【図８】
0006802594.tif 000009
【図９】
0006802594.tif 000010
【図１０−１】
0006802594.tif 000011
【図１０−２】
0006802594.tif 000012
【図１０−３】
0006802594.tif 000013